(57)【要約】 【課題】低騒音化を図ることができ、冷却効率を高めることができる光学装置及びリアプロジェクタを提供すること。【解決手段】光学装置４４の保持枠４４６と固定部材４４７とに跨って、熱伝導性のフレーム４４８を設ける。また、液晶パネル４４０の射出側の防塵ガラスと、固定部材４４７に当接する熱伝導性部材４５０を設ける。さらに、保持枠４４６と、固定部材４４７とを熱伝導性の接合剤により固定する。また、射出側偏光板４４３の透明部材４４３Ａの光束射出側端面と、固定部材４４７とに跨って熱伝導性部材４５２が取り付けられる。固定部材４４７の上部板状体４４７Ｃには、複数のフィン部材４４９Ｂを備えた放熱フィン４４９が取り付けられている。【選択図】 図９
2005134858.tif 000002
【特許請求の範囲】
【請求項１】
光源から射出された光束を画像情報に応じて変調する光変調装置と、この光変調装置で形成された光学像を合成する色合成光学装置とを備える光学装置であって、
前記光変調装置は、その画像形成領域に応じた開口部が形成された保持枠に収容保持されており、
前記光変調装置を収容した保持枠は、前記色合成光学装置の光束入射側端面に沿って取り付けられる熱伝導性の固定部材に固定され、
前記固定部材には、板状のフィン部材を備えた放熱フィンが設けられていることを特徴とする光学装置。
【請求項２】
請求項１に記載の光学装置において、
前記放熱フィンと、前記固定部材とは一体成形されていることを特徴とする光学装置。
【請求項３】
請求項１に記載の光学装置において、
前記放熱フィンは、前記固定部材に対し着脱可能となっていることを特徴とする光学装置。
【請求項４】
請求項１から３の何れかに記載の光学装置において、
前記放熱フィンのフィン部材には、光の反射を防止するための反射防止処理が施されていることを特徴とする光学装置。
【請求項５】
請求項１から４の何れかに記載の光学装置において、
前記光変調装置には冷却流体が吹き付けられており、
前記放熱フィンのフィン部材の配列方向は、冷却流体の流路に対して、約４５°傾斜していることを特徴とする光学装置。
【請求項６】
請求項１から５の何れかに記載の光学装置において、
前記保持枠及び前記固定部材間に跨って、これらに当接する熱伝導性部材が設置されていることを特徴とする光学装置。
【請求項７】
光源から射出された光束を画像情報に応じて変調する光変調装置と、この光変調装置で形成された光学像を合成する色合成光学装置とを備える光学装置であって、
前記光変調装置は、その画像形成領域に応じた開口部が形成された保持枠に収容保持されており、
前記光変調装置を収容した保持枠は、前記色合成光学装置の光束入射側端面に沿って取り付けられる熱伝導性の固定部材に固定され、
前記保持枠及び前記固定部材間に跨って、これらに当接する熱伝導性部材が設置されていることを特徴とする光学装置。
【請求項８】
請求項６又は７に記載の光学装置において、
前記熱伝導性部材には、放熱フィンが形成されていることを特徴とする光学装置。
【請求項９】
請求項１から８の何れかに記載の光学装置において、
前記光変調装置を収容する保持枠と、前記固定部材とは熱伝導性の接合剤により固着されていることを特徴とする光学装置。
【請求項１０】
請求項１から９の何れかに記載の光学装置において、
前記光変調装置の光束射出側端面と、前記固定部材との間には、これらに当接する熱伝導性部材が設置されていることを特徴とする光学装置。
【請求項１１】
請求項１から１０の何れかに記載の光学装置において、
前記色合成光学装置の光束入射側端面と、前記固定部材の光束射出側端面との間に配置される光学変換板を備え、
前記光学変換板は、熱伝導性材料からなる透明部材、及びこの透明部材に貼り付けられ、前記光変調装置から射出される光束の光学特性を変換する光学変換膜を有し、
前記透明部材の光束入射側端面と、前記固定部材の光束射出側端面とは、熱伝導性部材を介して固定されていることを特徴とする光学装置。
【請求項１２】
請求項１から１１の何れかに記載の光学装置において、
前記色合成光学装置の光束入射側端面と、前記固定部材の光束射出側端面との間に配置される光学変換板を備え、
前記光学変換板は、熱伝導性材料からなる透明部材、及びこの透明部材に貼り付けられ、前記光変調装置から射出される光束の光学特性を変換する光学変換膜を有し、
前記透明部材の光束射出側端面及び前記固定部材に跨って、これらに当接する熱伝導性部材が設置されていることを特徴とする光学装置。
【請求項１３】
光源から射出された光束を変調し、画像情報に応じて光学像を形成する光学装置、および該光学像を拡大投射する投射光学系を含む画像形成部と、前記画像形成部を収納する箱状の筐体と、この筐体に露出して設けられ、前記画像形成部で形成された光学像を投影するスクリーンとを備えたリアプロジェクタであって、
前記光学装置は、請求項１から１２の何れかに記載の光学装置であることを特徴とするリアプロジェクタ。
【請求項１４】
請求項１３に記載のリアプロジェクタにおいて、
前記光学装置の光変調装置に入射する光束の光学特性を変換する光学変換膜及びこの光学変換膜が貼り付けられる透明部材を備えた光学変換板と、光学装置及び光学変換板を収容する光学部品用筐体とを備え、
前記光学変換板を光学部品用筐体に固定するための熱伝導性の固定部材には、複数の板状のフィン部材を備えた放熱フィンが設けられていることを特徴とするリアプロジェクタ。
【発明の詳細な説明】
【技術分野】
【０００１】
本発明は、光学装置及びリアプロジェクタに関する。
【背景技術】
【０００２】
従来から、光源から射出された光束をダイクロイックミラーによって三原色の赤、緑、青の色光に分離するとともに、三枚の液晶パネル（光変調装置）により各色光毎に画像情報に応じて変調し、画像変調後の各色光を色合成光学装置で合成し、投射レンズを介してカラー画像をスクリーンの前面に拡大投射する、いわゆる三板式のフロント投射式プロジェクタが知られている。
また、光源からの光束を液晶パネル（光変調装置）に照射し、この液晶パネルによって画像情報に応じて変調された光束を色合成光学装置で合成し、投射レンズにより拡大して、反射ミラーにより光路を変換させ、スクリーンの背面に導く構造のリアプロジェクタも知られている。
以上のようなプロジェクタでは、光変調装置と色合成光学装置とは一体化された光学装置として構成されており、色合成光学装置の光束入射側端面に液晶パネルを楔状のスペーサやピンスペーサを介して接合固定したものが知られている。
【０００３】
光変調装置等の光学素子は、光束の透過、吸収により発熱し、温度が上昇する。そのため、従来から、空気等の冷却媒体をファンにより送り込み、光学素子自体を直接冷却する冷却構造が採用されている（特許文献１参照）。
【０００４】
【特許文献１】特開２０００−２９８３１１号公報（第５頁、図５）
【発明の開示】
【発明が解決しようとする課題】
【０００５】
近年、プロジェクタの高輝度化がすすんでおり、光変調装置等の光学素子をさらに効率よく冷却する方法が求められている。
ここで、空気等の冷却媒体を送り込むファンの回転数を高め、冷却効率を向上させる方法も考えられるが、このような方法では、ファンの回転による騒音が発生し、低騒音化を図ることができないという問題がある。
【０００６】
本発明の目的は、低騒音化を図ることができ、冷却効率を高めることができる光学装置及びリアプロジェクタを提供することである。
【課題を解決するための手段】
【０００７】
本発明の光学装置は、光源から射出された光束を画像情報に応じて変調する光変調装置と、この光変調装置で形成された光学像を合成する色合成光学装置とを備える光学装置であって、前記光変調装置は、その画像形成領域に応じた開口部が形成された保持枠に収容保持されており、前記光変調装置を収容した保持枠は、前記色合成光学装置の光束入射側端面に沿って取り付けられる熱伝導性の固定部材に固定され、前記固定部材には、複数の板状のフィン部材を備えた放熱フィンが設けられていることを特徴とする。
ここで、熱伝導性の固定部材の材料としては、アルミニウムや、銅、マグネシウム等の金属が例示できる。
また、本発明の光学装置は、フロント投射式プロジェクタに搭載されてもよく、また、リアプロジェクタに搭載されてもよい。
【０００８】
このような本発明によれば、光変調装置を収容する保持枠は、色合成光学装置に取り付けられる固定部材に固定されている。従って、光変調装置で発生した熱は、保持枠を介して固定部材に伝達される。この固定部材には放熱フィンが設けられており、放熱面積が大きく確保されているので、固定部材に伝達された熱は効率よく放熱されることとなる。
これにより、光変調装置の放熱効率（冷却効率）を高めることができるので、光変調装置を冷却するためのファンの回転数を高める必要がなく、低騒音化を図ることができる。
さらに、光変調装置を冷却するためのファンの冷却能力を下げることが可能となるので、安価なファンを使用することが可能となり、コストの低減を図ることができる。
また、光変調装置の冷却効率が向上するため、光変調装置の長寿命化を図ることが可能となる。
【０００９】
この際、前記放熱フィンと、前記固定部材とは一体成形されていることが好ましい。
このような本発明によれば、放熱フィンと固定部材とを一体成形することで、部材点数の増加を防止することができる。
【００１０】
さらに、本発明では、前記放熱フィンは、前記固定部材に対し着脱可能となっていてもよい。
このような本発明では、放熱フィンが固定部材に対して着脱可能となっているので、例えば、光束の色光に応じて光変調装置が複数設けられている場合、光変調装置の発熱量に応じて、放熱フィンを取り付けたり、取り外したりすることができる。例えば、最も発熱量の低い赤色光を変調する光変調装置が固定される固定部材には、放熱フィンを取り付けなくてもよい。このようにすることで、部材点数の削減を図ることができ、光学装置の低コスト化を図ることができる。
【００１１】
また、本発明では、前記放熱フィンのフィン部材には、光の反射を防止するための反射防止処理が施されていることが好ましい。
ここで、反射防止処理としては、例えば、放熱フィンのフィン部材に黒色めっき処理を施したり、黒アルマイト処理を施したりすることが提案できる。
このような本発明では、放熱フィンのフィン部材に反射防止処理を施しているので、光の乱反射を防止することができる。
また、反射防止処理として黒色めっき処理や黒アルマイト処理を施すことで、放熱フィンの放熱性（放射性）の向上を図ることができる。
【００１２】
さらに、本発明では、前記光変調装置には冷却流体が吹き付けられており、前記放熱フィンのフィン部材の配列方向は、冷却流体の流路に対して、約４５°傾斜していることが好ましい。
このような本発明によれば、放熱フィンのフィン部材の配列が冷却流体の流路に対して約４５°に傾斜しているので、放熱フィンのフィン部材の表面に冷却流体が当たりやすくなるため、放熱フィンの冷却効率を高めることができる。
【００１３】
また、本発明では、前記保持枠及び前記固定部材間に跨って、これらに当接する熱伝導性部材が設置されていることが好ましい。
このような本発明によれば、保持枠及び固定部材間に跨って、熱伝導性部材が設置されているので、光変調装置から保持枠に伝達された熱を熱伝導性部材を介して効率よく固定部材に伝達させることができる。これにより、光変調装置の放熱効率を高めることができる。
【００１４】
本発明の光学装置は、光源から射出された光束を画像情報に応じて変調する光変調装置と、この光変調装置で形成された光学像を合成する色合成光学装置とを備える光学装置であって、前記光変調装置は、その画像形成領域に応じた開口部が形成された保持枠に収容保持されており、前記光変調装置を収容した保持枠は、前記色合成光学装置の光束入射側端面に沿って取り付けられる熱伝導性の固定部材に固定され、前記保持枠及び前記固定部材間に跨って、これらに当接する熱伝導性部材が設置されていることを特徴とするものであってもよい。
このような本発明によれば、光変調装置を収容する保持枠は、色合成光学装置に取り付けられる固定部材に固定されている。これに加え、保持枠及び固定部材間に跨って、熱伝導性部材が設置されているので光変調装置で発生した熱は、保持枠、熱伝導性部材を介して固定部材に伝達される。これにより、光変調装置の放熱効率（冷却効率）を高めることができるので、光変調装置を冷却するためのファンの回転数を高める必要がなく、低騒音化を図ることができる。
さらに、光変調装置を冷却するためのファンの冷却能力を下げることが可能となるので、安価なファンを使用することが可能となり、コストの低減を図ることができる。
また、光変調装置の冷却効率が向上するため、光変調装置の長寿命化を図ることが可能となる。
【００１５】
この際、前記熱伝導性部材には、放熱フィンが形成されていることが好ましい。
このような本発明では、保持枠及び固定部材間に跨って配置される熱伝導性部材に放熱フィンが形成されているので、熱伝導性部材の表面積を大きく確保することができ、熱伝導性部材から効率よく放熱させることができる。そのため、固定部材に熱が溜まってしまうことが防止され、光変調装置の放熱効率をより高めることができる。
【００１６】
本発明では、前記光変調装置を収容する保持枠と、前記固定部材とは熱伝導性の接合剤により固着されていることが好ましい。
ここで、熱伝導性の接合剤としては、熱伝導性の接着剤や、はんだ等が例示できる。
このような本発明によれば、保持枠と固定部材とが熱伝導性の接合剤により固着されているので、光変調装置で発生した熱が保持枠に伝達され、保持枠に伝達された熱は熱伝導性の接合剤を介して固定部材に伝達される。これにより、保持枠及び固定部材間での熱伝導を効率よく行うことができ、光変調装置の放熱効率（冷却効率）を高めることができる。
【００１７】
本発明では、前記光変調装置の光束射出側端面と、前記固定部材との間には、これらに当接する熱伝導性部材が設置されていることが好ましい。
このようにすることで、光変調装置の光束射出側端面の熱を熱伝導性部材を介して固定部材に効率よく伝達することができ、光変調装置の放熱効率を高めることができる。
【００１８】
さらに、本発明では、前記色合成光学装置の光束入射側端面と、前記固定部材の光束射出側端面との間に配置される光学変換板を備え、前記光学変換板は、熱伝導性材料からなる透明部材、及びこの透明部材に貼り付けられ、前記光変調装置から射出される光束の光学特性を変換する光学変換膜を有し、前記透明部材の光束入射側端面と、前記固定部材の光束射出側端面とは、熱伝導性部材を介して固定されていることが好ましい。
ここで、熱伝導性部材としては、例えば、熱伝導性両面テープ、熱伝導性シート、シリコングリース等が例示できる。
一般に、光学変換板の光学変換膜では、光束の透過に伴い熱が発生する。このような本発明では、光学変換板の透明部材の光束入射側端面と固定部材とは熱伝導性部材を介して固定されているので、光学変換膜で発生した熱を透明部材から、固定部材に効率よく伝達させることができる。これにより、光学変換板の熱を効率よく放熱させることができる。
このように、光学変換板の放熱効率を高めることができるので、光学変換板の透明部材を熱伝導性の比較的低いものとすることも可能である。例えば、透明部材をサファイア製としていたものを水晶製とすることが可能となり、光学変換板のコスト低減を図ることができる。
【００１９】
本発明では、前記色合成光学装置の光束入射側端面と、前記固定部材の光束射出側端面との間に配置される光学変換板を備え、前記光学変換板は、熱伝導性材料からなる透明部材、及びこの透明部材に貼り付けられ、前記光変調装置から射出される光束の光学特性を変換する光学変換膜を有し、前記透明部材の光束射出側端面及び前記固定部材に跨って、これらに当接する熱伝導性部材が設置されていることが好ましい。
光学変換板の透明部材の光束射出側端面と固定部材との間に跨って、熱伝導性部材を設置することで、透明部材の光束射出側端面に伝達された熱を効率よく固定部材に伝達することができる。そして、前述したように、本発明では、固定部材に放熱フィンが形成されているので、固定部材に伝達された熱を効率よく放熱させることができる。
このように本発明では、光変調装置で発生した熱のみならず、光学変換板で発生した熱も固定部材から放熱でき、光学変換板の放熱効率も高めることができる。
【００２０】
本発明のリアプロジェクタは、光源から射出された光束を変調し、画像情報に応じて光学像を形成する光学装置、および該光学像を拡大投射する投射光学系を含む画像形成部と、前記画像形成部を収納する箱状の筐体と、この筐体に露出して設けられ、前記画像形成部で形成された光学像を投影するスクリーンとを備えたリアプロジェクタであって、前記光学装置は、上述した何れかの光学装置であることを特徴とする。
このような本発明のリアプロジェクタでは、上述した何れかに記載の光学装置を備えているため、光学装置と同様の効果を奏することができる。
【００２１】
さらに、本発明のリアプロジェクタでは、前記光学装置の光変調装置に入射する光束の光学特性を変換する光学変換膜及びこの光学変換膜が貼り付けられる透明部材を備えた光学変換板と、光学装置及び光学変換板を収容する光学部品用筐体とを備え、前記光学変換板を光学部品用筐体に固定するための熱伝導性の固定部材には、複数の板状のフィン部材を備えた放熱フィンが設けられていることが好ましい。
このような本発明では、光学変換板は熱伝導性の固定部材に固定されているので、光変調装置に入射する光束の光学特性を変換する光学変換板の熱は固定部材に伝達される。
そして、固定部材には、放熱フィンが設けられており、放熱面積が大きく確保されているので、固定部材に伝達された熱を効率よく放熱することができる。これにより、光変調装置に入射する光束の光学特性を変換する光学変換板の放熱効率を高めることができる。
【発明を実施するための最良の形態】
【００２２】
以下、本発明の実施形態を図面に基づいて説明する。
[第一実施形態]
[１．プロジェクションテレビの構成]
図１は、リアプロジェクタとしてのプロジェクションテレビ１０の正面側斜視図である。
図２は、プロジェクションテレビ１０の背面側斜視図である。
図３は、プロジェクションテレビ１０の内部構造を示す図である。
プロジェクションテレビ１０は、光源から射出された光束を画像情報に応じて変調して光学像を形成し、この光学像をスクリーンに拡大投射するものである。このプロジェクションテレビ１０は、図１ないし図３に示すように、箱状の筐体としての上部キャビネット１１および下部キャビネット３１（図１および図２）と、上部キャビネット１１の前面に露出して設けられるスクリーン１４（図１）と、上部キャビネット１１内に配置されるミラー１５（図３）と、下部キャビネット３１内に配置される画像形成部としての光学ユニット４０（図３）とで大略構成されている。なお、プロジェクションテレビ１０は、上述した構成の他、具体的な説明を省略するが、光学ユニット４０等に外部からの電力を供給する電源装置、外部から入力された画像情報に応じて光学ユニット４０の駆動制御等を実施する制御基板等も備えている。
【００２３】
[1-1.キャビネットの構成]
図１および図２に示すように、上部キャビネット１１および下部キャビネット３１にて、プロジェクションテレビ１０の外観が形成され、これらの上部キャビネット１１および下部キャビネット３１は分離できるように形成されている。
上部キャビネット１１は、図１および図２に示すように、ミラー１５（図３）を収納する縦断面三角形状の筐体であり、ミラー１５（図３）が取り付けられるミラーケース１２と、このミラーケース１２の正面側の開口部周辺に形成され、スクリーン１４を取り付けるフレーム枠１３とを備えている。
【００２４】
図４は、ミラーケース１２を正面側から見た斜視図である。
ミラーケース１２は、図４に示すように、背面壁２１、一対の側壁２２，２３、および底面壁２４から構成されている。
背面壁２１は、長辺が上方に位置する平面視台形状の形状を有し、後方の下側に向かって傾斜するように形成され、内側端面にてミラー１５（図３）を所定角度で支持する。
一対の側壁２２，２３は、平面視三角形状の形状を有し、背面壁２１の両端縁から前方に向けて突出し、後方に向かうにしたがって内側に傾斜するように形成されている。
底面壁２４は、一対の側壁２２，２３に跨って形成され、長辺が前方側に位置する平面視略台形状の形状を有し、後方の上側に向かって傾斜するように形成されている。この底面壁２４には、前方側略中央部分に切り欠き２４Ａと、前方から見て左側に開口部２４Ｂとが形成されている。
フレーム枠１３は、矩形枠状に形成され、内側端面にてスクリーン１４を所定位置にて保持するものであり、ミラーケース１２の前方側端縁にねじ等により固定される。
【００２５】
図５は、下部キャビネット３１の正面側斜視図である。
下部キャビネット３１は、光学ユニット４０、図示しない電源装置、および図示しない制御基板等を収納する筐体であり、フロントパネル３２（図１）と、側部パネル３３，３４（図２）と、リアパネル３５（図２）と、底面部３６と、底面部３６上に取り付けられ、光学ユニット４０、前記電源装置、および前記制御装置等を下部キャビネット３１の所定位置に設置する設置部３７とで構成されている。
フロントパネル３２は、図１に示すように、平面視矩形形状を有し、左右側には略同寸法の矩形状の開口部３８が形成されている。そして、この開口部３８の内部には、それぞれ図示しないスピーカが配設されている。
側部パネル３３，３４は、図２に示すように、平面視台形形状を有し、ミラーケース１２の一対の側壁２２，２３と同様に、後方に向かうにしたがって内側に傾斜するように形成されている。この側部パネル３３，３４には、それぞれスリット状の開口部が形成されている。そして、側部パネル３３に形成された開口部は、内部に冷却空気を導入する吸気口３３１（図２）であり、側部パネル３４に形成された開口部は、内部に導入され内部を冷却した後の空気を排出する排気口３４１（図２）である。
リアパネル３５は、図２に示すように、平面視矩形形状を有し、コンピュータ接続用の接続部や、ビデオ入力端子、オーディオ機器接続端子等の各種の機器接続用端子が設けられている。
底面部３６は、図５に示すように、平面視略台形状の形状を有し、プロジェクションテレビ１０全体を支持する。
【００２６】
設置部３７は、下部キャビネット３１に設置される各装置を囲うように形成され、各装置を適宜、区画している。
この設置部３７において、その上面３７１は、上部キャビネット１１の底面壁２４に対応して後方の上側に向かって傾斜するように形成されている。また、この上面３７１は、正面側から見て略中央部分から左側部分、および正面側から見て右側部分には、それぞれ段付状の段差部３７１Ａ，３７１Ｂが形成されている。
段差部３７１Ａにおいて、右側部分には、切り欠き３７１Ａ１が形成され、この切り欠き３７１Ａ１は、設置部３７に設置される光学ユニット４０（図３）の後述する光学装置の上部位置に対応するとともに、設置部３７に設置される光学ユニット４０（図３）の後述する投射レンズが臨むように形成されている。
段差部３７１Ｂにおいて、底面部分には、切り欠き３７１Ｂ１が形成され、この切り欠き３７１Ｂ１は、設置部３７に設置される光学ユニット４０（図３）の後述する光源装置上に取り付けられる排気ファン５４の吐出口に対向する。
また、段差部３７１Ｂにおいて、正面から見て右側部分には、側部パネル３４に形成された排気口３４１（図２）と接続するダクト５５の吸気側が接続する。
また、この設置部３７において、正面から見て左側の端面には、図５に示すように、設置部３７内部に空気を流通させるための孔３７２が形成されている。この孔３７２は、光学ユニット４０（図３）の後述する光源装置と連通し、前記光源装置に空気を流通可能とする。
【００２７】
図６は、図４に示す上部キャビネット１１と図５に示す下部キャビネット３１とを組み合わせた図である。
上部キャビネット１１と下部キャビネット３１とを組み合わせると、図６に示すように、
ミラーケース１２の底面壁２４、および下部キャビネット３１の設置部３７における上面３７１に形成された段差部３７１Ａによりダクト２５が形成され、底面壁２４および段差部３７１Ｂによりダクト２６が形成される。そして、ダクト２５の吸気側は、上面３７１における切り欠き３７１Ａ１を介して、下部キャビネット３１に設置される光学ユニット４０（図３）の後述する光学装置の上部側に対向する。また、ダクト２６の吸気側は、上面３７１における切り欠き３７１Ｂ１（図５）を介して、排気ファン５４の吐出口に対向する。
また、上部キャビネット１１と下部キャビネット３１とを組み合わせると、上部キャビネット１１の切り欠き２４Ａと下部キャビネット３１の切り欠き３７１Ａ１とが対向し、下部キャビネット３１に設置される光学ユニット４０（図３）の後述する投射レンズからミラー１５に向けて投射される映像の光路が形成される。
【００２８】
[1-2．スクリーンの構成]
スクリーン１４は、光学ユニット４０の後述する投射レンズで拡大され、ミラー１５で反射された光学像を裏面から投影する透過型スクリーンであり、図１に示すように、上部キャビネット１１のフレーム枠１３によりミラーケース１２の正面側に取り付けられる。
このスクリーン１４は、例えば、拡散板、フレネルシート、レンチキュラーシート、保護板等にて構成でき、前記投射レンズから射出されミラー１５で反射された光束は、拡散板で拡散された後にフレネルシートで平行化され、レンチキュラーシートを構成する光学ビーズによって拡散され、表示画像が得られる。
【００２９】
[1-3．ミラーの構成]
ミラー１５は、図３に示すように、平面視台形状に形成された一般的なミラーであり、上部キャビネット１１の背面壁２１の内側に、台形状の長辺が上側となるように傾斜して取り付けられる。このミラー１５の傾斜角は、前面側のスクリーン１４と光学ユニット４０の後述する投射レンズによる映像の反射との設定された位置関係に基づいて設定されている。
【００３０】
[1-4．光学ユニットの構成]
図７は、光学ユニット４０を模式的に示す図である。
光学ユニット４０は、光源装置を構成する光源ランプから射出された光束を光学的に処理して画像情報に対応した光学像を形成し、この光学像を拡大投射するユニットである。この光学ユニット４０は、図７に示すように、インテグレータ照明光学系４１と、色分離光学系４２と、リレー光学系４３と、光学装置４４と、プリズム４８と、投射光学装置としての投射レンズ４６と、ライトガイド４７とを備える。
【００３１】
インテグレータ照明光学系４１は、光学装置４４を構成する後述する３つの光変調装置（液晶パネル）の画像形成領域をほぼ均一に照明するための光学系である。このインテグレータ照明光学系４１は、光源装置４１１と、第１レンズアレイ４１２と、第２レンズアレイ４１３と、偏光変換素子４１４と、重畳レンズ４１５とを備える。
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
光源ランプ４１６としては、高圧水銀ランプを採用している。なお、高圧水銀ランプ以外に、メタルハライドランプやハロゲンランプ等も採用できる。
リフレクタ４１７としては、放物面鏡を採用している。なお、放物面鏡の代わりに、平行化凹レンズおよび楕円面鏡を組み合わせたものを採用してもよい。
【００３２】
第１レンズアレイ４１２は、光軸方向から見てほぼ矩形状の輪郭を有する小レンズがマトリクス状に配列された構成を有し、各小レンズは、光源ランプ４１６から射出された光束を複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する液晶パネル上に結像させる機能を有する。
【００３３】
偏光変換素子４１４は、第２レンズアレイ４１３と重畳レンズ４１５との間に配置される（一体ではない）。このような偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクションテレビ１０では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を略１種類の偏光光に変換し、光学装置４４での光の利用効率を高めている。
なお、このような偏光変換素子４１４は、例えば特開平８−３０４７３９号公報に紹介されている。
【００３４】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
【００３５】
リレー光学系４３は、入射側レンズ４３１と、リレーレンズ４３３と、反射ミラー４３２，４３４とを備え、色分離光学系４２で分離された色光である赤色光を光学装置４４の後述する赤色光用の液晶パネルまで導く機能を有している。
【００３６】
この際、色分離光学系４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１８を通って、光学装置４４の後述する青色光用の液晶パネルに到達する。このフィールドレンズ４１８は、第２レンズアレイ４１３から射出された各部分光束をその中心軸（主光線）に対して平行な光束に変換する。他の緑色光用、赤色光用の液晶パネルの光入射側に設けられたフィールドレンズ４１８も同様である。
【００３７】
また、ダイクロイックミラー４２１を透過した赤色光と緑色光のうちで、緑色光は、ダイクロイックミラー４２２によって反射し、フィールドレンズ４１８を通って、緑色光用の液晶パネルに到達する。一方、赤色光は、ダイクロイックミラー４２２を透過してリレー光学系４３を通り、さらにフィールドレンズ４１８を通って、赤色光用の液晶パネルに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００３８】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される３つの光変調装置（液晶パネル）４４０（４４０Ｒ，４４０Ｇ，４４０Ｂ）と、各液晶パネル４４０の後段に配置される３つの射出側偏光板４４３と、色合成光学装置としてのクロスダイクロイックプリズム４４４とを備える。そして、これら入射側偏光板４４２、液晶パネル４４０、射出側偏光板４４３、およびクロスダイクロイックプリズム４４４は、一体的にユニット化されている。
液晶パネル４４０は、例えば、ポリシリコンＴＦＴをスイッチング素子として用いたものであり、色分離光学系４２で分離された各色光は、これら３枚の液晶パネル４４０とこれらの光束入射側にある入射側偏光板４４２および射出側にある射出側偏光板４４３によって、画像情報に応じて変調されて光学像を形成する。
光学変換板としての入射側偏光板４４２は、色分離光学系４２で分離された各色光のうち、一定方向の偏光光のみ透過させ、その他の光束を吸収するものであり、水晶等の透明部材（基板）４４２Ａ（図１３参照）に偏光膜（光学変換膜）が貼付されたものである。
光学変換板としての射出側偏光板４４３も、入射側偏光板４４２と略同様に構成され、透明部材４４３Ａ上に図示しない偏光膜（光学変換膜）４４３Ｂが貼り付けられたものであり（図９参照）、液晶パネル４４０から射出された光束のうち、所定方向の偏光光のみ透過させ、その他の光束を吸収するものである。
これらの入射側偏光板４４２および射出側偏光板４４３は、互いの偏光軸の方向が直交するように設定されている。
【００３９】
クロスダイクロイックプリズム４４４は、射出側偏光板４４３から射出され、色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
なお、光学装置４４の詳細な構成については、後述する。
【００４０】
プリズム４８は、光学装置４４の光束射出側に配置され、この光学装置４４で形成されたカラー画像を投射レンズ４６の方向、すなわち前方向に射出されたカラー画像を上方向へと折り曲げて反射するものである。
投射レンズ４６は、プリズム４８で反射されたカラー画像を拡大して、ミラー１５に投射するものである。この投射レンズ４６は、鏡筒内に複数のレンズが収納された組みレンズとして構成されている。
【００４１】
ライトガイド４７は、合成樹脂から構成され、上述した各光学系４１〜４４、４８を収納保持するものであり、具体的な図示は省略するが、各光学部品４１２〜４１５，４１８，４２１〜４２３，４３１〜４３４を上方からスライド式に嵌め込む溝部が形成された下ライトガイドと、前記下ライドガイドの上部の開口側を閉塞する蓋状の上ライトガイドとを備えて構成される。
【００４２】
[1-5．光学装置の構造]
図８〜図１３を参照して光学装置４４の構造を説明する。
光学装置４４は、図８及び図９に示すように、前述した液晶パネル４４０、入射側偏光板４４２、射出側偏光板４４３、クロスダイクロイックプリズム４４４の他に、台座４４５と、保持枠４４６と、固定部材４４７とを備えている。
保持枠４４６は、液晶パネル４４０を収納し、固定部材４４７を介してクロスダイクロイックプリズム４４４の光束入射側端面に一体的に固定される。なお、入射側偏光板４４２は、詳しくは後述するが、ライトガイド４７に固定される。
【００４３】
台座４４５は、クロスダイクロイックプリズム４４４の上面に固定され、一体化された光学装置４４をライトガイド４７の下ライトガイドに固定する。この台座４４５は、略矩形状に形成された板材であり、その四隅から延出する延出部４４５Ａを備えている。そして、この延出部４４５Ａは、先端部分に孔４４５Ｂが形成されている。また、この台座４４５の矩形部分は、クロスダイクロイックプリズム４４４の外周形状よりも若干小さく形成されている。このため、クロスダイクロイックプリズム４４４の側面に固定部材４４７が固定された際に、台座４４５と固定部材４４７とは、互いに干渉しないようになっている。
【００４４】
保持枠４４６は、液晶パネル４４０を収納するためのものである。
ここで、液晶パネル４４０について、詳細に説明すると、液晶パネル４４０は、例えば、ポリシリコンＴＦＴ（Thin Film Transistor）をスイッチング素子として用いたものであり、対向配置される一対の透明基板内に液晶が密封封入されている。そして、一対の透明基板の光束入射側及び光束射出側には、防塵ガラスが取り付けられている。
保持枠４４６は、液晶パネル４４０を収容する収容部を有する凹型枠体４４６Ａと、凹型枠体４４６Ａと係合し、収納した液晶パネル４４０を押圧固定する支持板４４６Ｂとを備えている。また、保持枠４４６は、収納された液晶パネル４４０のパネル面に対応する位置に、開口部４４６Ｃが設けられている。さらに、保持枠４４６の四隅には孔４４６Ｄが形成されている。そして、これら凹型枠体４４６Ａと支持板４４６Ｂとの固定は、支持板４４６Ｂの左右両側に設けられたフック４４６Ｅと、凹型枠体４４６Ａの対応する箇所に設けられたフック係合部４４６Ｆとの係合により行う。
ここで、液晶パネル４４０は、保持枠４４６の開口部４４６Ｃで露出し、この部分が画像形成領域となる。すなわち、液晶パネル４４０のこの部分に各色光Ｒ，Ｇ，Ｂが導入され、画像情報に応じて光学像が形成される。
【００４５】
このような保持枠４４６の凹型枠体４４６Ａの光束入射側端面４４６Ａ１、側面４４６Ａ２及び固定部材４４７の光束入射側端面４４７Ａ３、側面４４７Ａ４間に跨って、熱伝導性部材であるフレーム４４８が取り付けられている。
このフレーム４４８は、光学装置４４の光束入射側からみて平面略コ字形形状となっており、保持枠４４６の開口部４４６Ｃを避けるように構成されている。さらに、詳細に説明すると、フレーム４４８は、保持枠４４６の光束入射側端面４４６Ａ１の上側部分に当接する第一当接部４４８Ａと、この第一当接部４４８Ａの両端部に直交して設けられ、保持枠４４６の側面４４６Ａ２に当接する第二当接部４４８Ｂと、この第二当接部４４８Ｂに対して直交して設けられ、固定部材４４７の光束入射側端面４４７Ａ３に当接する第三当接部４４８Ｃと、この第三当接部４４８Ｃに直交して設けられ、固定部材４４７の側面４４７Ａ４に当接する第四当接部４４８Ｄとを備えた構成となっている。
なお、実際には、固定部材４４７の側面４４７Ａ４には、後述する熱伝導性部材４５０の延出部４５０Ｂ、熱伝導性部材４５２の第二及び第三の熱伝導性部材４５２Ｂ，４５２Ｃが取り付けられているので、第四当接部４４８Ｄは、この延出部４５０Ｂ、熱伝導性部材４５２の第二及び第三の熱伝導性部材４５２Ｂ，４５２Ｃを介して、固定部材４４７の側面４４７Ａ４に当接することとなる。
【００４６】
このようなフレーム４４８を構成する熱伝導性材料としては、グラファイトシート、銅板、銅箔、アルミ箔等が例示できる。なかでも、グラファイトシートを使用することが好ましい。グラファイトシートは、フレキシブル性が高いため、保持枠４４６及び固定部材４４７への密着性を高めることができる。また、接触熱抵抗が非常に低いため、保持枠４４６から固定部材４４７への熱伝導効率を向上させることができる。
なお、グラファイトシートを使用する際には、表面がポリエステルでコーティングされたものを採用することが好ましい。このように表面がコーティングされたグラファイトシートを使用することで、グラファイトシートの表面の荒れを防止することができる。
【００４７】
また、保持枠４４６に収容された液晶パネル４４０の光束射出側端面と、固定部材４４７との間には、これらに当接する熱伝導性部材４５０が設置されている。
この熱伝導性部材４５０は、平面略矩形形状であり、中央に光束透過用の開口が形成されるとともに、液晶パネル４４０の防塵ガラスの光束非透過部分に接触する接触部４５０Ａと、この接触部４５０Ａから固定部材４４７側に延び、固定部材４４７の側面４４７Ａ４に当接する延出部４５０Ｂとを備える。
このような熱伝導性部材４５０を構成する材料としては、例えば、グラファイトシート、銅板、銅箔、アルミ箔等が例示できる。なかでも、グラファイトシートを使用することが好ましい。グラファイトシートは、フレキシブル性が高いため、液晶パネル４４０の防塵ガラス及び固定部材４４７への密着性を高めることができる。また、接触熱抵抗が非常に低いため、防塵ガラスから固定部材４４７への熱伝導効率を向上させることができる。
なお、グラファイトシートを使用する際には、表面がポリエステルでコーティングされたものを採用することが好ましい。このように表面がコーティングされたグラファイトシートを使用することで、グラファイトシートの表面の荒れを防止することができる。
【００４８】
固定部材４４７は、液晶パネル４４０を収納する保持枠４４６を保持固定するものであり、クロスダイクロイックプリズム４４４の光束入射側端面に固定される。この固定部材４４７は、熱伝導性部材、例えば、銅やアルミニウム等から構成されている。
固定部材４４７は、液晶パネル４４０の画像形成領域に対応して、略矩形状の開口部４４７Ａ１が形成された矩形板状体４４７Ａと、この矩形板状体４４７Ａの四隅から突設された略円柱形状のピン４４７Ｂと、矩形板状体４４７Ａの上部に形成された上部板状体４４７Ｃとを備えている。
ここで、ピン４４７Ｂの位置は、矩形板状体４４７Ａの隅である必要はない。また、ピン４４７Ｂの数は、４つに限らず、２つ以上であれば良い。すなわち、設計に応じて、保持枠４４６の孔４４６Ｄと対応するように形成すればよい。
この固定部材４４７は、保持枠４４６とクロスダイクロイックプリズム４４４との間に介在している。固定部材４４７とクロスダイクロイックプリズム４４４との固定は、固定部材４４７の矩形板状体４４７Ａの光束射出側端面をクロスダイクロイックプリズム４４４の光束入射側端面に接着固定することにより行われている。
また、固定部材４４７と保持枠４４６との固定は、固定部材４４７のピン４４７Ｂを保持枠４４６の孔４４６Ｄに挿入し、孔４４６Ｄ内に熱伝導性の接合剤である熱伝導性シリコン接着剤（図示略）を注入することにより行われる。なお、ここでは、熱伝導性の接着剤を孔４４６Ｄ内に注入するとしたが、これに限らず、例えば、熱伝導性の接合剤として、はんだ等を注入してもよい。
【００４９】
上部板状体４４７Ｃは、クロスダイクロイックプリズム４４４上に設置された台座４４５よりも上方に位置しており、光束入射側に位置する端面が平坦な面となっている。この上部板状体４４７Ｃの四隅には、ねじ孔４４７Ｃ１が形成されている。さらに、この上部板状体４４７Ｃの光束射出側に位置する端面には、クロスダイクロイックプリズム４４４側に向かって延びる複数本の突起４４７Ｃ２が形成されている。
また、この矩形板状体４４７Ａの長手方向の両端部の下部部分（矩形板状体４４７Ａ側部分）には、切り欠きが形成されている。これにより、台座４４５と上部板状体４４７Ｃとの干渉が防止されている。
【００５０】
このような上部板状体４４７Ｃには、放熱フィン４４９が取り付けられる。
放熱フィン４４９の上端の高さ位置は、液晶パネル４４０の図示しない一対の基板間に設けられた制御用ケーブルの上端と略同じ高さ位置となっている。
放熱フィン４４９は、上部板状体４４７Ｃの光束入射側に位置する面に取り付けられる平面略矩形形状の板状部４４９Ａと、この板状部４４９Ａに設けられた複数の板状のフィン部材４４９Ｂとを備える。
この放熱フィン４４９は、固定部材４４７と同じ熱伝導性の材料から構成されており、例えば、銅やアルミニウム等から構成されている。
フィン部材４４９Ｂは、後述する第一の冷却流路５１に沿って（図９上下方向）延びており、等間隔に設置されている。このフィン部材４４９Ｂには、反射防止処理、例えば、黒色めっき処理や、黒アルマイト処理が施されている。
【００５１】
板状部４４９Ａの長手方向の両端部は上部板状体４４７Ｃと反対側に向かって、屈曲されており、この両端部の下方部分（矩形板状体４４７Ａ側部分）には、切り欠きが形成されている。これにより、台座４４５の延出部４４５Ａとの干渉が防止されている。
また、この板状部４４９Ａの四隅であって、上部板状体４４７Ｃのねじ孔４４７Ｃ１に対応する位置には孔４４９Ａ１が形成されている。この孔４４９Ａ１及び前記ねじ孔４４７Ｃ１にねじを挿入し、螺合固定することで、放熱フィン４４９が上部板状体４４７Ｃに固定されることとなる。このように、本実施形態では、放熱フィン４４９は、上部板状体４４７Ｃに対してねじ止め固定されており、ねじを螺合又は螺合解除することで、着脱可能となっているので、例えば、図１０に示すように、最も発熱量の低い赤色光を変調する液晶パネル４４０Ｒが固定される固定部材４４７には放熱フィン４４９を取り付けなくてもよい。
なお、放熱フィン４４９と上部板状体４４７Ｃとを固定する際には、放熱フィン４４９の板状部４４９Ａと、上部板状体４４７Ｃとの間には、両者間の熱伝導性を向上させるために、例えば、シリコングリース等が塗布される。
【００５２】
また、固定部材４４７の矩形板状体４４７Ａの光束射出側には、図１１に示すように、射出側偏光板４４３を収容する凹部４４７Ａ２が形成されている。すなわち、射出側偏光板４４３は、固定部材４４７の光束射出側端面と、クロスダイクロイックプリズム４４４の光束入射側端面との間に配置されることとなる。
射出側偏光板４４３の透明部材（基板）４４３Ａの光束入射側端面と、凹部４４７Ａ２の光束射出側端面とは熱伝導性部材４５４を介して固定される。例えば、凹部４４７Ａ２の光束射出側端面であって前記開口部４４７Ａ１の周縁部分に、熱伝導性部材４５４である、熱伝導性両面テープ、熱伝導性シート、シリコングリース等が取り付けられ、この熱伝導性部材４５４により射出側偏光板４４３が固定されるのである。
【００５３】
このような射出側偏光板４４３の透明部材４４３Ａの光束射出側端面と矩形板状体４４７Ａとに跨って、両者に当接するシート状の熱伝導性部材４５２が取り付けられている。
さらに、詳細に説明すると、図１２にも示すように、射出側偏光板４４３の透明部材４４３Ａの光束射出側端面の上部及び矩形板状体４４７Ａの光束射出側端面の上部間に跨って第一の熱伝導性部材４５２Ａが取り付けられる。
また、射出側偏光板４４３の透明部材４４３Ａの光束射出側端面の左右の端部部分及び矩形板状体４４７Ａの側面４４７Ａ４に跨って第二及び第三の熱伝導性部材４５２Ｂ，４５２Ｃが取り付けられている。第二及び第三の熱伝導性部材４５２Ｂ，４５２Ｃは、略直角に折り曲げられ断面略Ｌ字型となっている。
なお、実際には、固定部材４４７の側面４４７Ａ４には、熱伝導性部材４５０の延出部４５０Ｂが取り付けられているので、第二及び第三の熱伝導性部材４５２Ｂ，４５２Ｃは、この延出部４５０Ｂを介して、固定部材４４７の側面４４７Ａ４に当接することとなる。
ここで、本実施形態では、射出側偏光板４４３の透明部材４４３Ａの光束射出側端面の左右の端部部分及び矩形板状体４４７Ａの側面に跨って、第二、第三の熱伝導性部材４５２Ｂ，４５２Ｃを設置したが、射出側偏光板４４３の透明部材４４３Ａの光束射出側端面の左右の端部部分と、矩形板状体４４７Ａの凹部４４７Ａ２内側に跨って第二、第三の熱伝導性部材４５２Ｂ，４５２Ｃを設置してもよい。
【００５４】
このようなシート状の熱伝導性部材４５２としては、例えば、グラファイトシート、銅板、銅箔、アルミ箔等が例示できる。なかでも、グラファイトシートを使用することが好ましい。グラファイトシートは、フレキシブル性が高いため、射出側偏光板４４３及び固定部材４４７への密着性を高めることができる。また、接触熱抵抗が非常に低いため、射出側偏光板４４３から固定部材４４７への熱伝導効率を向上させることができる。
なお、グラファイトシートを使用する際には、表面がポリエステルでコーティングされたものを採用することが好ましい。このように表面がコーティングされたグラファイトシートを使用することで、グラファイトシートの表面の荒れを防止することができる。
【００５５】
入射側偏光板４４２は、クロスダイクロイックプリズム４４４の光束入射側端面に一体的に固定されておらず、前述したようにライトガイド４７の下ライトガイドに固定される。この下ライトガイドには、図１３に示すように、入射側偏光板４４２をスライド固定するための溝４７１Ａが形成された一対のボス部４７１が突設されている。
入射側偏光板４４２は、固定部材４５３を介して前記ボス部４７１の溝４７１Ａに嵌め込まれる。
固定部材４５３は、固定部材４４７と略同様の構成であるが、ピンが突設されていない点のみが異なっている。
この固定部材４５３の上部板状体４４７Ｃには、放熱フィン４４９が取り付けられている。
また、射出側偏光板４４３と同様、入射側偏光板４４２の光束入射側端面と固定部材４５３とは熱伝導性部材４５４により固定されており、さらに入射側偏光板４４２の透明部材４４２Ａ（基板）の光束射出側端面と固定部材４５３の矩形板状体４４７Ａとに跨って、シート状の熱伝導性部材４５２が取り付けられている。
この熱伝導性部材４５２は、第一から第三の熱伝導性部材４５２Ａ，４５２Ｂ，４５２Ｃから構成されている。
【００５６】
[2.冷却構造]
次に、プロジェクションテレビ１０の内部の冷却構造を図面に基づいて説明する。
図１４は、第１の冷却流路５１を示す図である。具体的に、図１４（Ａ）は、プロジェクションテレビ１０の側方から第１の冷却流路５１を見た図であり、図１４（Ｂ）は、プロジェクションテレビ１０の正面側から第１の冷却流路５１を見た図である。
図１５は、第２の冷却流路５３を示す図である。具体的に、図１５（Ａ）は、プロジェクションテレビ１０の側方から第２の冷却流路５３を見た図であり、図１５（Ｂ）は、プロジェクションテレビ１０の正面側から第２の冷却流路５３を見た図である。
プロジェクションテレビ１０の内部には、図１４および図１５に示すように、プロジェクションテレビ１０を構成する光学装置４４を主に冷却する第１の冷却流路５１と、光源装置４１１を主に冷却する第２の冷却流路５３とが形成されている。
【００５７】
第１の冷却流路５１では、図示しないが、光学装置４４の上方に位置し、ダクト２５の吸気側に設けられた冷却ファンが用いられる。
この冷却ファンは、空気の吸入方向と吸入した空気の吐出方向とが同一である軸流ファンで構成され、光学装置４４の上方の空気を吸い込んで、ダクト２５に向けて吐出する。そして、この冷却ファンが駆動することにより、図１４に示すように、光学装置４４の上方の空気が吸い込まれ、吸い込まれた空気が下部キャビネット３１の切り欠き３７１Ａ１およびミラーケース１２の切り欠き２４Ａを介してダクト２５に吐出される。ダクト２５に吐出された空気は、ミラーケース１２の切り欠き２４Ｂから流出し、ミラーケース１２の側壁２３、背面壁２１、および側壁２２に沿って流通し、再度、冷却ファンに吸い込まれる。このように冷却ファンにより、ミラーケース１２およびスクリーン１４等により形成される内部空間を循環する第１の冷却流路５１が形成される。
【００５８】
第２の冷却流路５３では、図１５に示すように、光学ユニット４０の光源装置４１１上に取り付けられる排気ファン５４が用いられる。
この排気ファン５４は、冷却ファンと同様に軸流ファンで構成される。そして、この排気ファン５４が駆動することで、図１５に示すように、下部キャビネット３１の側部パネル３３に形成された吸気口３３１からプロジェクションテレビ１０外部の空気が内部へと引き寄せられ、下部キャビネット３１の設置部３７に形成された孔３７２（図５）を介して光源装置４１１へと導入される。光源装置４１１に導入された空気は、排気ファン５４により吸い込まれる過程で光源装置４１１の光源ランプ４１６およびリフレクタ４１７を冷却する。排気ファン５４に吸い込まれた空気は、ダクト２６に吐出され、ダクト２６およびダクト５５を介して下部キャビネット３１の側部パネル３３に形成された排気口３４１からプロジェクションテレビ１０外部へと排出される。
【００５９】
以上、説明した第１の冷却流路５１および第２の冷却流路５３は、互いに交差しないように設定されている。具体的に、光学ユニット４０において、光源装置４１１と光学装置４４との間に介装されるインテグレータ照明光学系４１、色分離光学系４２、およびリレー光学系４３がライトガイド４７内に収納されているため、ライトガイド４７内で光学装置４４から光源装置４１１、または光源装置４１１から光学装置４４へと空気が流通することがない。また、ライトガイド４７外においても、下部キャビネット３１の設置部３７により、光源装置４１１側と光学装置４４側とが仕切られた構成となっており、光学装置４４側から光源装置４１１側、または光源装置４１１側から光学装置４４側へと空気が流通することがない。このようにプロジェクションテレビ１０内の冷却流路を互いに交差しない第１の冷却流路５１および第２の冷却流路５３に分断することで、光学装置４４を冷却するための第１の冷却流路５１は外部から空気を取り込まずに、ミラーケース１２、スクリーン１４等によって形成される内部空間の空気を循環させて光学装置４４を冷却させることができ、フィルタ等の外部の空気を取り込む際に配置される部材が不要となる。また、光源装置４１１を冷却するための第２の冷却流路５３は、外部の空気を取り込むことになるが、光源を冷却する場合には外部から取り込んだ空気からごみ等を除去する必要がないので、構成の簡素化が図れる。勿論、第２の冷却流路５３の吸気口３３１にフィルタを配置してもよいが、その場合においても、光学装置４４が流路に含まれないので、フィルタの塵埃除去能力が高くなくて済む。
【００６０】
[2- 1．光学装置の放熱経路] 
本実施形態のプロジェクションテレビ１０では、光学装置４４の冷却において、上記冷却ファンによる強制冷却だけでなく、光学装置４４の構造によって放熱経路が確保されている。
光源装置４１１からの光束が透過することにより、光学装置４４の液晶パネル４４０および射出側偏光板４４３の偏光膜４４３Ｂ、入射側偏光板４４２の偏光膜には熱が発生する。
まず、液晶パネル４４０の放熱経路について、説明する。
液晶パネル４４０は、保持枠４４６に収容されているため、液晶パネル４４０で発生した熱は、液晶パネル４４０の防塵ガラスを介して保持枠４４６に伝達される。
この保持枠４４６の孔４４６Ｄと、固定部材４４７のピン４４７Ｂとは熱伝導性の接着剤により固定されているので、保持枠４４６に伝達された熱の一部は、熱伝導性の接着剤を介して固定部材４４７に伝達される。
また、保持枠４４６の光束入射側端面４４６Ａ１と、固定部材４４７との間には、熱伝導性のフレーム４４８が取り付けられているので、保持枠４４６に伝達された熱の一部は、保持枠４４６の光束入射側端面４４６Ａ１から、フレーム４４８を介して固定部材４４７に伝達される。
さらに、前述したように、保持枠４４６に収容された液晶パネル４４０の射出側の防塵ガラスと、固定部材４４７との間には、防塵ガラスの光束非透過部分及び固定部材４４７に接触する熱伝導性部材４５０が設置されている。そのため、液晶パネル４４０で発生した熱は、防塵ガラスから、熱伝導性部材４５０に伝達され、さらに、固定部材４４７に伝達される。
以上のように、液晶パネル４４０で発生した熱は、固定部材４４７に伝達され、液晶パネル４４０は熱伝達により冷却される。
【００６１】
次に、射出側偏光板４４３の放熱経路について説明する。
射出側偏光板４４３は、その透明部材４４３Ａの光束入射側端面が、固定部材４４７の凹部４４７Ａ２に熱伝導性部材４５４を介して取り付けられているので、射出側偏光板４４３の熱の一部は、透明部材４４３Ａの光束入射側端面から、熱伝導性部材４５４を介して固定部材４４７に伝達される。
また、射出側偏光板４４３の透明部材４４３Ａの光束射出側端面と矩形板状体４４７Ａとに跨って、シート状の熱伝導性部材４５２が取り付けられているため、射出側偏光板４４３の熱の一部は、透明部材４４３Ａの光束射出側端面から熱伝導性部材４５２を介して固定部材４４７に伝達される。このようにして、射出側偏光板４４３で発生した熱は、固定部材４４７に伝達され、射出側偏光板４４３は熱伝達によっても冷却される。
以上のようにして、固定部材４４７に伝達された熱は、上部板状体４４７Ｃを介して放熱フィン４４９に伝達され、前述した第一の冷却流路５１を通る冷却空気との熱交換により放熱される。
【００６２】
次に、入射側偏光板４４２の放熱経路について説明する。
入射側偏光板４４２の透明部材４４２Ａの光束入射側端面と固定部材４５３とは、熱伝導性部材４５４により固定されているので、入射側偏光板４４２の熱の一部は、固定部材４５３に伝達される。
また、入射側偏光板４４２の透明部材４４２Ａの光束射出側端面と固定部材４５３とに跨って熱伝導性部材４５２が取り付けられているので、入射側偏光板４４２の熱の一部は、熱伝導性部材４５２を介して固定部材４５３に伝達される。これにより、入射側偏光板４４２の熱が放熱され、入射側偏光板４４２が熱伝導により、冷却されることとなる。
固定部材４５３に伝達された熱は、放熱フィン４４９を介してライトガイド４７内部の空気と熱交換される。
【００６３】
[3.実施形態の効果]
従って、本実施形態によれば、以下の効果を奏することができる。
（1）本実施形態では、液晶パネル４４０を収容した保持枠４４６は固定部材４４７を介
してクロスダイクロイックプリズム４４４に固定されている。従って、光束の透過に伴い液晶パネル４４０で発生した熱は、保持枠４４６を介して固定部材４４７に伝達される。この固定部材４４７の上部板状体４４７Ｃには放熱フィン４４９が固定されているので、固定部材４４７に伝達された熱は放熱フィン４４９に伝達される。放熱フィン４４９は表面積が大きく確保されているため、伝達された熱を効率よく放熱することができる。
これにより、液晶パネル４４０の冷却効率（放熱効率）を高めることができるので、液晶パネル４４０を冷却するための冷却ファンの回転数を高める必要がなく、低騒音化を図ることができる。
さらに、冷却ファンの冷却能力を下げることが可能となるので、安価な冷却ファンを使用することが可能となり、コストの低減を図ることができる。
また、液晶パネル４４０の冷却効率が向上するため、液晶パネル４４０の長寿命化を図ることが可能となる。
なお、固定部材４４７の上部板状体４４７Ｃと放熱フィン４４９とは、シリコングリース等を介して固定されているので、固定部材４４７と放熱フィン４４９との間の密着性を高めることができ、固定部材４４７と放熱フィン４４９との間に熱伝導率の低い空気が介在することがないため、熱伝導性を向上させることができる。
【００６４】
（2）さらに、本実施形態では、放熱フィン４４９と、固定部材４４７の上部板状体４４７Ｃとはねじ止め固定される構造となっており、放熱フィン４４９は、固定部材４４７に対して着脱可能となっているので、液晶パネル４４０の発熱量に応じて、放熱フィン４４９を取り付けたり、取り外したりすることができる。例えば、最も発熱量の低い赤色光を変調する液晶パネル４４０Ｒが固定される固定部材４４７には放熱フィン４４９を取り付けなくてもよい。このようにすることで、光学装置４４の小型化を図ることができるとともに、部材点数の削減を図ることができる。
【００６５】
（3）さらに、放熱フィン４４９のフィン部材４４９Ｂには、反射防止処理、例えば、黒
色めっき等が施されているので、光の乱反射を防止することができる。
また、反射防止処理として黒色めっき等を施すことで、フィン部材４４９Ｂの放熱性（放射性）の向上を図ることができる。
（4）液晶パネル４４０が収容される保持枠４４６の孔４４６Ｄと、固定部材４４７のピ
ン４４７Ｂとは熱伝導性の接着剤により固定されているので、液晶パネル４４０から保持枠４４６に伝達された熱の一部は、熱伝導性の接着剤を介して固定部材４４７に伝達される。これにより、保持枠４４６及び固定部材４４７間での熱伝導を効率よく行うことができ、液晶パネル４４０の放熱効率を高めることができる。
【００６６】
（5）さらに、液晶パネル４４０が収容された保持枠４４６の凹型枠体４４６Ａの光束入
射側端面４４６Ａ１、側面４４６Ａ２及び固定部材４４７の光束入射側端面４４７Ａ３、側面４４７Ａ４間に跨って、熱伝導性部材であるフレーム４４８が設置されているので、液晶パネル４４０で発生した熱の一部が、保持枠４４６の凹型枠体４４６Ａ、フレーム４４８、固定部材４４７と伝達される。これにより、液晶パネル４４０の放熱効率を高めることができる。
これに加え、液晶パネル４４０の光束射出側の防塵ガラスと、固定部材４４７との間にも、熱伝導性部材４５０が配置されているので、射出側の防塵ガラスに伝達された熱を効率よく固定部材４４７に伝達させることができる。
このように、液晶パネル４４０の光束入射側、光束射出側の双方から熱を固定部材４４７に伝達させることができ、熱伝達の経路が複数形成されているので、液晶パネル４４０の放熱効率をより一層高いものとすることができる。
【００６７】
（6）本実施形態では、射出側偏光板４４３の透明部材４４３Ａの光束入射側端面と固定
部材４４７の凹部４４７Ａ２の光束射出側端面とは熱伝導性部材４５４を介して固定されているので、射出側偏光板４４３の偏光膜４４３Ｂで発生した熱を透明部材４４３Ａから、固定部材４４７に効率よく伝達させることができる。そして、固定部材４４７には、放熱フィン４４９が形成されているので、固定部材４４７に伝達された熱を効率よく放熱させることができる。
このように本実施形態では、射出側偏光板４４３で発生した熱を固定部材４４７から放熱できるため、射出側偏光板４４３の放熱効率も高めることができる。
さらに、上述したように、射出側偏光板４４３の放熱効率を高めることができるので、射出側偏光板４４３の透明部材４４３Ａを熱伝導性の比較的低いものとすることも可能である。例えば、透明部材４４３Ａをサファイア製としていたものを水晶製とすることが可能となり、射出側偏光板４４３のコスト低減を図ることができる。
【００６８】
（7）さらに、射出側偏光板４４３の透明部材４４３Ａの光束射出側端面と、固定部材４４７の矩形板状体４４７Ａとに跨って、シート状の熱伝導性部材４５２が取り付けられている。
これにより射出側偏光板４４３の光束射出側端面に伝達された熱を効率よく固定部材４４７に伝達させることができる。
以上のように、本実施形態では、射出側偏光板４４３の光束入射側端面、光束射出側端面から熱を固定部材４４７に伝達させることができ、射出側偏光板４４３の放熱効率をより一層向上させることができる。
【００６９】
（8）入射側偏光板４４２の透明部材４４２Ａの光束入射側端面と固定部材４５３とは、熱伝導性部材４５４により固定されているので、入射側偏光板４４２の熱を固定部材４５３に効率よく伝達することができる。
また、入射側偏光板４４２の透明部材４４２Ａの光束射出側端面と固定部材４５３とに跨って熱伝導性部材４５２が取り付けられているので、入射側偏光板４４２の熱の一部は、熱伝導性部材４５２を介して固定部材４５３に効率よく伝達される。
固定部材４５３には、放熱フィン４４９が取り付けられているので、固定部材４５３に伝達された熱を効率よく放熱することができる。
このように、入射側偏光板４４２の放熱効率を高めることができるので、入射側偏光板４４２の透明部材４４２Ａを熱伝導性の比較的低いものとすることも可能である。例えば、透明部材をサファイア製としていたものを水晶製とすることが可能となり、入射側偏光板４４２のコスト低減を図ることができる。
【００７０】
（9）さらに、フレーム４４８、熱伝導性部材４５０、熱伝導性部材４５２をグラファイ
トシートとしているので、フレキシブル性が高く、保持枠４４６及び固定部材４４７への密着性、液晶パネル４４０の防塵ガラス及び固定部材４４７への密着性、射出側偏光板４４３の透明部材４４３Ａ及び固定部材４４７の矩形板状体４４７Ａへの密着性、入射側偏光板４４２の透明部材４４２Ａ及び固定部材４４７の矩形板状体４４７Ａへの密着性を高めることができる。従って、グラファイトシートと、保持枠４４６等との間に、熱伝導率の低い空気が介在することがなく、保持枠４４６や、防塵ガラス、透明部材４４３Ａ，４４２Ａからの熱を固定部材４４７，４５３に効率よく伝達させることができる。
また、グラファイトシートは、接触熱抵抗が非常に低いため、保持枠４４６から固定部材４４７への熱伝導効率、防塵ガラスから固定部材４４７への熱伝導効率、射出側偏光板４４３の透明部材４４３Ａからの固定部材４４７への熱伝導率、入射側偏光板４４２の透明部材４４２Ａから固定部材４５３への熱伝導率を向上させることができる。
以上により、液晶パネル４４０の放熱効率、射出側偏光板４４３の放熱効率、入射側偏光板４４２の放熱効率を、さらに高めることができる。
【００７１】
[第二実施形態]
以下に本発明の第二実施形態について図１６〜図１９を参照して説明する。尚、以下の説明では、既に説明した部分と同一の部分については、同一符号を付してその説明を省略する。
本実施形態の光学装置６４は、前記実施形態の光学装置４４の固定部材４４７と異なる形状の固定部材６４７を備えている。すなわち、本実施形態の光学装置６４は、液晶パネル４４０、入射側偏光板４４２、射出側偏光板４４３、クロスダイクロイックプリズム４４４、台座４４５と、保持枠４４６と、固定部材６４７とを備えている。固定部材６４７を除く他の部材は、光学装置４４と同様の部材である。
【００７２】
固定部材６４７は、図１７にも示すように、固定部材４４７と同様の材料で構成され、矩形板状体４４７Ａと、この矩形板状体４４７Ａの四隅から突設された略円柱形状のピン４４７Ｂとを備えるが、上部板状体４４７Ｃを備えていない点で固定部材４４７と異なっている。固定部材６４７に上部板状体４４７Ｃが設けられていないため、本実施形態の光学装置６４は上部板状体４４７Ｃに取り付けられる放熱フィンを有しない。
このような固定部材６４７の光束入射側端面４４７Ａ３、側面４４７Ａ４、及び保持枠４４６の凹型枠体４４６Ａの光束入射側端面４４６Ａ１、側面４４６Ａ２間に跨って、熱伝導性部材であるフレーム４４８が取り付けられている。
また、保持枠４４６に収容された液晶パネル４４０の光束射出側端面と、固定部材６４７との間には、これらに当接する熱伝導性部材４５０が設置されている。
【００７３】
さらに、図１８，１９に示すように、射出側偏光板４４３の透明部材（基板）４４３Ａの光束入射側端面と、固定部材６４７の凹部４４７Ａ２の光束射出側端面とは、熱伝導性両面テープ、熱伝導性シート、シリコングリース等の熱伝導性部材４５４を介して固定される。
また、射出側偏光板４４３の透明部材４４３Ａの光束射出側端面と固定部材６４７の矩形板状体４４７Ａとに跨って、両者に当接するシート状の熱伝導性部材４５２が取り付けられている。
【００７４】
このような光学装置６４の各光学部品の放熱経路は、前記実施形態と略同様であるが、放熱フィンが設けられていないため、固定部材６４７に伝達された熱は、放熱フィンには伝達されずに、冷却空気により冷却されることとなる。
なお、本実施形態では、図示しなかったが、入射側偏光板４４２が固定される固定部材４５３も上部板状体４４７Ｃを有しない形状としてもよい。
【００７５】
このような本実施形態によれば、第一実施形態の（4）〜（9）と同様の効果を奏することができるうえ、以下の効果を奏することができる。
（10）本実施形態では、液晶パネル４４０を収容した保持枠４４６は固定部材６４７を介
してクロスダイクロイックプリズム４４４に固定されている。従って、光束の透過に伴い液晶パネル４４０で発生した熱は、保持枠４４６を介して固定部材６４７に伝達されて放熱される。
これにより、液晶パネル４４０の冷却効率（放熱効率）を高めることができるので、液晶パネル４４０を冷却するための冷却ファンの回転数を高める必要がなく、低騒音化を図ることができる。
さらに、冷却ファンの冷却能力を下げることが可能となるので、安価な冷却ファンを使用することが可能となり、コストの低減を図ることができる。
また、液晶パネル４４０の冷却効率が向上するため、液晶パネル４４０の長寿命化を図ることが可能となる。
（11）さらに、本実施形態では、光学装置６４の固定部材６４７は上部板状体４４７Ｃを備えておらず、光学装置６４は放熱フィンを有しないため、光学装置６４の部材点数の削減及び光学装置６４の小型化を図ることができる。
【００７６】
なお、本発明は前述の実施形態に限定されるものではなく、本発明の目的を達成できる範囲での変形、改良等は本発明に含まれるものである。
例えば、前記各実施形態では、入射側偏光板４４２を固定部材４５３に取り付けて、ライトガイド４７に固定していたが、これに限らず、入射側偏光板４４２を直接、ライトガイド４７に形成されたボス部４７１に挿入してもよい。この場合には、入射側偏光板４４２で発生した熱は、透明部材４４２Ａから直接ボス部４７１に伝達され、ライトガイド４７に放熱されることとなる。このようにすることで、部材点数の削減を図ることができる。
前記各実施形態では、射出側偏光板４４３の透明部材の光束射出側端面と、固定部材４４７の矩形板状体４４７Ａとに跨って、シート状の熱伝導性部材４５２を取り付けたが、熱伝導性部材４５２はなくてもよい。
【００７７】
さらに、射出側偏光板４４３の透明部材４４３Ａの光束入射側端面と固定部材４４７の凹部４４７Ａ２の光束射出側端面とは熱伝導性部材４５４を介して固定されているとしたが、熱伝導性の低い接着部材での固定でも良い。この場合４４３で発生した熱は、熱伝導性部材４５２を介して固定部材４５３に放熱される。
また、前記各実施形態では、液晶パネル４４０の射出側防塵ガラスの光束射出側端面と、固定部材４４７との間に熱伝導性部材４５０を設置したが、熱伝導性部材４５０はなくてもよい。さらに、液晶パネル４４０が収容された保持枠４４６の凹型枠体４４６Ａの光束入射側端面４４６Ａ１、側面４４６Ａ２及び固定部材４４７の光束入射側端面４４７Ａ３、側面４４７Ａ４間に跨って、熱伝導性部材であるフレーム４４８を設置したが、フレーム４４８は前述したような形状に限らず、図２０及び図２１に示すように，放熱フィン４４８Ｅが形成されたフレーム４４８’を使用してもよい。
フレーム４４８’に設けられた放熱フィン４４８Ｅは、第一の冷却流路５１を通る冷却空気の流れに沿って延びており、さらに、保持枠４４６の光束入射側端面に対して傾斜している。このようにフレーム４４８’に放熱フィン４４８Ｅを形成することで、表面積を大きく確保することができるため、フレーム４４８’に伝達された熱と第一の冷却流路５１を通る冷却空気との間の熱交換が行いやすくなり、フレーム４４８’からの放熱効率を高めることができる。
また、フレーム４４８はなくてもよい。このようにすることで、部材点数の削減を図ることができる。
【００７８】
さらに、前記各実施形態では、放熱フィン４４９の各フィン部材４４９Ｂは、第一の冷却流路５１に沿って延びていたが、これに限らず、図２２に示すように、各フィン部材４４９Ｂ’の配列方向を第一の冷却流路５１に対して、例えば、約４５°傾斜させてもよい。
このような放熱フィン４４９’を使用することで、フィン部材４４９Ｂ’に冷却空気が当たりやすくなるため、フィン部材４４９Ｂ’の冷却効率を高めることができる。このように、フィン部材４４９Ｂ’の冷却効率を向上させることで、液晶パネル４４０の熱がよりフィン部材４４９Ｂ’に伝達されやすくなり、液晶パネル４４０の放熱効率を向上させることができる。
【００７９】
また、第一実施形態では、放熱フィン４４９は、固定部材４４７の上部板状体４４７Ｃにねじ止め固定されており、放熱フィン４４９は固定部材４４７に対して着脱可能となっていたが、これに限らず、放熱フィン４４９と固定部材４４７とが一体的に構成されていてもよい。このようにすることで、部材点数の削減を図ることができる。また、固定部材４４７と放熱フィン４４９とを一体的に構成することで、固定部材４４７から放熱フィン４４９への熱伝達効率を向上させることができる。
さらに、前各記実施形態では、光学装置４４をリアプロジェクタとしてのプロジェクションテレビ１０に使用したが、これに限らず、フロント投射式のプロジェクタに使用してもよい。
【産業上の利用可能性】
【００８０】
本発明は、会議、学会、展示会等でのマルチメディアプレゼンテーション（家庭内等で映画鑑賞等に使用することもある）に広く利用されるフロント投射式のプロジェクタに利用できるほか、リアプロジェクタにも利用することができる。
【図面の簡単な説明】
【００８１】
【図１】本実施形態に係るリアプロジェクタとしてのプロジェクションテレビの正面側斜視図。
【図２】前記実施形態におけるプロジェクションテレビの背面側斜視図。
【図３】前記実施形態におけるプロジェクションテレビの内部構造を示す図。
【図４】前記実施形態におけるミラーケースを正面側から見た斜視図。
【図５】前記実施形態における下部キャビネットの正面側斜視図。
【図６】図４に示す上部キャビネットと図５に示す下部キャビネット３１とを組み合わせた図。
【図７】前記実施形態における光学ユニットを模式的に示す図。
【図８】前記実施形態における光学装置の構造を示す斜視図。
【図９】前記実施形態における光学装置の構造を示す分解斜視図。
【図１０】前記光学装置の変形例を示す斜視図。
【図１１】固定部材及び射出側偏光板を示す分解斜視図。
【図１２】固定部材及び射出側偏光板を示す斜視図。
【図１３】入射側偏光板及びライトガイドに形成されるボス部を示す斜視図。
【図１４】前記実施形態における第１の冷却流路を示す図。
【図１５】前記実施形態における第２の冷却流路を示す図。
【図１６】本発明の第二実施形態にかかる光学装置を示す斜視図。
【図１７】前記光学装置の分解斜視図。
【図１８】前記光学装置の要部を示す分解斜視図。
【図１９】前記光学装置の要部を示す斜視図。
【図２０】本発明の変形例を示す斜視図。
【図２１】本発明の変形例を示す斜視図。
【図２２】本発明の他の変形例を示す斜視図。
【符号の説明】
【００８２】
１０…プロジェクションテレビ（プロジェクタ）、４４…光学装置、６４…光学装置、４７…ライトガイド、４４０…液晶パネル（光変調装置）、４４２…入射側偏光板（光学変換板）、４４２Ａ…透明部材、４４３…射出側偏光板（光学変換板）、４４３Ａ…透明部材、４４３Ｂ…偏光膜（光学変換膜）、４４４…クロスダイクロイックプリズム（色合成光学装置）、４４６…保持枠、４４７…固定部材、４５３…固定部材、４４８…フレーム（熱伝導性部材）、４４８Ｅ…放熱フィン、４４９…放熱フィン、４５０…熱伝導性部材、４５２…熱伝導性部材、４５４…熱伝導性部材、６４７…固定部材
【図１】
2005134858.tif 000003
【図２】
2005134858.tif 000004
【図３】
2005134858.tif 000005
【図４】
2005134858.tif 000006
【図５】
2005134858.tif 000007
【図６】
2005134858.tif 000008
【図７】
2005134858.tif 000009
【図８】
2005134858.tif 000010
【図９】
2005134858.tif 000011
【図１０】
2005134858.tif 000012
【図１１】
2005134858.tif 000013
【図１２】
2005134858.tif 000014
【図１３】
2005134858.tif 000015
【図１４】
2005134858.tif 000016
【図１５】
2005134858.tif 000017
【図１６】
2005134858.tif 000018
【図１７】
2005134858.tif 000019
【図１８】
2005134858.tif 000020
【図１９】
2005134858.tif 000021
【図２０】
2005134858.tif 000022
【図２１】
2005134858.tif 000023
【図２２】
2005134858.tif 000024